(57)【要約】【課題】手動作による詰め替えの際においても、安定した支持状態を保ち、内溶液の確実な詰め替えが可能となる詰め替え容器を提供すること。【解決手段】容器口部の壁部外周に少なくとも１つの突起部が設けられ、且つ該突起部を通る垂直線ｘ上の該壁部上端の内周縁に切り欠き部が設けられることを特徴とする詰め替え容器である。【選択図】図１
2010120651.tif 000002
【特許請求の範囲】
【請求項１】
容器口部の壁部外周に少なくとも１つの突起部が設けられ、且つ該突起部を通る垂直線ｘ上の該壁部上端の内周縁に切り欠き部が設けられることを特徴とする詰め替え容器。
【請求項２】
前記突起部の長さｍと、前記垂直線ｘと前記突起部の長さ方向中心を通る垂直線ｙとの距離ｚとの関係が０≦ｚ≦０．３ｍであることを特徴とする請求項１に記載の詰め替え容器。
【請求項３】
前記突起部の長さｍと容器口部の内径Ｌとが下記の関係を有することを特徴とする請求項１又は２に記載の詰め替え容器。
０．３Ｌ ≦ ｍ ＜ Ｌ
【請求項４】
前記切り欠き部が、前記壁部上端の外周縁まで延びないことを特徴とする請求項１〜３のいずれかに記載の詰め替え容器。
【請求項５】
容器口部の壁部外周に延在する雄ねじに少なくとも１箇所の雄ねじ間欠部が設けられ、該雄ねじ間欠部により離隔されて雄ねじの容器開口側端部に形成された雄ねじ独立部が前記突起部を構成することを特徴とする請求項１〜４のいずれかに記載の詰め替え容器。
【請求項６】
容器口部の壁部外周に延在する雄ねじに少なくとも２箇所の雄ねじ間欠部が設けられ、該２箇所の雄ねじ間欠部により離隔されて形成された雄ねじ独立部が前記突起部を構成することを特徴とする請求項１〜５のいずれかに記載の詰め替え容器。
【請求項７】
前記突起部が複数設けられ、且つ複数の突起部がアンダーカット嵌合の嵌合部を構成することを特徴とする請求項１〜４のいずれかに記載の詰め替え容器。
【請求項８】
容器口部の壁部外周に突条部が周状に設けられ、該突条部に少なくとも２箇所の間欠部が設けられ、該２箇所の間欠部により離隔されて形成された突起部と該突条部とがアンダーカット嵌合の嵌合部を構成することを特徴とする請求項１〜４のいずれかに記載の詰め替え容器。
【発明の詳細な説明】
【技術分野】
【０００１】
本発明は、化粧品等を内容液とする詰め替え容器に関する。
【背景技術】
【０００２】
従来、化粧品等の内容液を収納する容器は、内容液が消費された後、もしくはその途中で、別の詰め替え容器から同一の内溶液を補充されることが多く、手動作で互いの容器の開口注出部を付き合わせて内溶液の詰め替えが行われている。（例えば、特許文献１参照）
【０００３】
【特許文献１】特開平１１−２３６０６８号公報
【発明の開示】
【発明が解決しようとする課題】
【０００４】
しかしながら、通常詰め替え容器口部と本体容器口部の形状が同一又は類似である場合が多く、且つ上記の詰め替え作業は手動作であるため、詰め替え容器の支持状態が不安定になり、注出方向が一定しないために、内溶液が容器外にこぼれ易くなり、安定した詰め替えが行うことができないという問題点があった。
そこで本発明は、手動作による詰め替えの際においても、安定した支持状態を保ち、内溶液の確実な詰め替えが可能となる詰め替え容器を提供することを課題とする。
【課題を解決するための手段】
【０００５】
本発明者は、前記課題を達成するために研究を重ねた結果、詰め替え容器口部の壁部外周と壁部上端の内周縁に特定の形状を付与することにより本発明の課題を解決し得ることを見出した。本発明は、かかる知見に基づいて完成したものである。
すなわち、本発明は、（１）容器口部の壁部外周に少なくとも１つの突起部が設けられ、且つ該突起部を通る垂直線ｘ上の該壁部上端の内周縁に切り欠き部が設けられることを特徴とする詰め替え容器であり、好ましくは、（２）前記突起部の長さｍと、前記垂直線ｘと前記突起部の長さ方向中心を通る垂直線ｙとの距離ｚとの関係が０≦ｚ≦０．３ｍであることを特徴とする上記（１）に記載の詰め替え容器である。
【発明の効果】
【０００６】
本発明により、手動作による詰め替えの際においても、安定した支持状態を保ち、注出方向が一定になり、内溶液が本体容器外にこぼれることがなく、内溶液の確実な詰め替えが可能となった。
【発明を実施するための最良の形態】
【０００７】
本発明の詰め替え容器の実施の形態について、図面を参照して説明する。図１は、本発明の詰め替え容器の第一の実施態様を示す容器の上面図及び側面図である。
図１に示す本発明の実施態様である詰め替え容器は、容器口部１０の壁部１１外周１２に少なくとも１つの突起部２０が設けられ、且つ突起部２０を通る垂直線ｘ上の壁部１１上端１３の内周縁１３ａに切り欠き部２０が設けられることを特徴とする。そして、突起部２０の長さｍと、垂直線ｘと突起部２０の長さ方向中心を通る垂直線ｙとの距離ｚとの関係が０≦ｚ≦０．３ｍであることが好ましい。ここで、０≦ｚ≦０．２５ｍがより好ましく、０≦ｚ≦０．２ｍが更に好ましく、０≦ｚ≦０．１ｍが特に好ましく、内溶液を本体容器外にこぼれにくくするという観点からｚ＝０が最も好ましい。ｚが０．３ｍ以下であれば内溶液が本体容器外にこぼれにくく好ましい。図１は、ｚ＝０の場合、即ち切り欠き部３０を通る垂直線ｘと突起部２０の長さ方向中心を通る垂直線ｙとが一致する場合を示す。
【０００８】
図２は、本発明の詰め替え容器の第二の実施態様を示す容器の上面図及び側面図である。図２においては、切り欠き部３０を通る垂直線ｘが突起部の長さ方向中心を通る垂直線ｙとは一致せず、垂直線ｘと垂直線ｙとの距離ｚがｚ＝０．２５ｍである場合を示す。
図３は、本発明の詰め替え容器１の詰め替えの状態を示す模式図である。本発明の詰め替え容器１の口部１０を詰め替え対象容器２に挿入し、詰め替え容器１の壁部１１を詰め替え対象容器２の壁部の上端に、詰め替え容器１の突起部２０を詰め替え対象容器２の内周に、夫々固定することにより詰め替え容器１が安定した支持状態を保つことができることとなった。また、０≦ｚ≦０．３ｍを満足するように切り欠き部３０を設けることにより注出方向が一定になり、内溶液が詰め替え対象容器２の容器外にこぼれることがなくなった。このように、突起部２０と切り欠き部３０との相乗的作用により内溶液の確実な詰め替えが可能となった。
【０００９】
本発明の詰め替え容器口部１０の突起部２０は、詰め替え対象容器２の壁部の上端に詰め替え容器１が安定した支持状態を保つことができればいかなる形状であっても良く、限定されない。例えば、長方形や６角形等の多角形であっても良く、横に長い楕円形であっても良い。多角形の角部は、面取りされていても、面取りされていなくても良い。ここで、面取りは平面状であっても良く、曲面状であっても良い。
【００１０】
また、本発明に係る突起部２０の両端部及び／又は側面部に、突起部２０の頂部の面積が小さく、底部の面積が大きくなるテーパーを付与することが好ましい。詰め替え容器１が安定した支持状態を保ち易くなるからであり、詰め替え容器の製造時に型から抜け易くなる効果も奏する。このテーパーは平面状であっても良いし、曲面状であっても良い。曲面状のテーパーは、例えば突起部２０の両端部及び／又は側面部に、円錐状又は楕円錐状の一部となるような、なだらかな曲面状テーパーを付与しても良い。
また、所望により逆に突起部２０に、頂部の面積が大きく、底部の面積が小さくなるテーパーを付与しても良い。
【００１１】
本発明の詰め替え容器口部１０の突起部２０の長さｍと容器口部１０の内径Ｌとは、下記の関係を有することが好ましい。
０．３Ｌ ≦ ｍ ＜ Ｌ
ｍが０．３Ｌ以上であれば、安定した支持状態を保つことが可能であり、ｍがＬより小さければ突起部２０を詰め替え対象容器２の開口部に挿入することができるので好ましい。この観点から、さらに好ましくは、０．５Ｌ ≦ ｍ ≦ ０．９５Ｌ、特に好ましくは、０．６Ｌ ≦ ｍ ≦ ０．９０Ｌである。
【００１２】
本発明に係る突起部２０の高さｈは特に限定されず、安定した支持状態を保つことが可能な範囲であれば良く、内径Ｌとの間で、０．０３Ｌ ≦ ｈ ≦ ０．１Ｌの関係であれば好ましい。また、本発明に係る突起部２０の幅ｎも特に限定されず、突起部２０の強度が保てる０．５ｍｍ以上且つ突起部２０の長さｍ以下程度であれば好ましい。
また、壁部１１の上端１３から突起部２０の上端までの長さｊも特に限定されないが、例えば、容器口部１０の内径Ｌ及び突起部２０の幅ｎとの間で下記の関係を有することが好ましい。
０ ≦ ｊ ＜ Ｌ−ｎ
さらに具体的にいえば、０ ≦ ｊ ≦ ５ｍｍ程度がより好ましく、０ ≦ ｊ ≦ ２ｍｍ程度が特に好ましい。
【００１３】
本発明の詰め替え容器口部１０の切り欠き部３０は、壁部上端１３の外周縁１３ｂまで延びないことが好ましい。内溶液が容器外にこぼれにくくすると共に、詰め替え容器の密閉性をより確実にするためである。
切り欠き部３０は、少なくとも１箇所設けられれば良いが、突起部２０に対応して突起部２０と同数設けることが好ましい。後述する図４及び図５に示すように、切り欠き部を２箇所以上、例えば２〜４箇所程度設けても良い。
壁部１１の上端１３から切り欠き部３０の下端までの長さｋは特に限定されず注出方向が一定になる程度であれば良く、容器口部10の厚みｄとの関係で、例えば ０．２ｄ ≦ ｋ ≦ ２ｄ であれば好ましい。
【００１４】
本発明の詰め替え容器１の口部１０がねじ式開閉機構を有し且つ容器口部１０上端１３からかなり離れた位置に雄ねじが存在する場合やワンタッチ式又はプッシュ式の開閉機構を有する場合においては、図１及び図２に示すように容器口部１０上端１３に近い位置に独立した突起部２０を設ければ良く、これらの場合は突起部２０を容器口部１０上端１３と平行に、即ち図１及び図２に示すように水平に設けることが好ましい。
しかしながら、本発明の課題の解決に反しない範囲で突起部２０を容器口部１０上端１３に対して傾斜していても良い。
【００１５】
図４は、本発明の詰め替え容器の第三の実施態様を示す容器の上面図及び側面図であり、図５は、本発明の詰め替え容器の第四の実施態様を示す容器の上面図及び側面図である。
いずれも突起部２０が容器口部１０上端１３に対して傾斜している場合であって、容器口部１０の壁部１１外周１２に延在する雄ねじ４０の一部を突起部２０として利用するものである。
【００１６】
図４に示す本発明の第三の実施態様は、容器口部１０の壁部１１外周１２に延在する雄ねじ４０に少なくとも１箇所の雄ねじ間欠部４１が設けられ、雄ねじ間欠部４１により離隔されて雄ねじ４０の容器開口側の端部に形成された雄ねじ独立部４２（図４において４２ａ）が突起部２０を構成することを特徴とする。雄ねじ独立部４２はこの雄ねじ独立部４２ａの１箇所に限られず、図４において雄ねじ独立部４２ｂが存在するように２箇所以上設けても良い。例えば２〜１２箇所程度設けても良い。この場合雄ねじ間欠部４１も雄ねじ独立部４２の数に応じ２箇所以上設けることとなる。ここで、雄ねじ間欠部４１の長さｐは、容器口部１０の厚みｄ及び容器口部１０の内径Ｌとの関係において０．８ｄ≦ ｐ ≦ Ｌであることが好ましい。雄ねじ独立部４２が詰め替え対象容器２に確実に挿入され、詰め替え対象容器２の内周に安定して固定されるようにするためである。
図４に示すように本発明に係る雄ねじ独立部４２は、雄ねじ４０の容器口部１０上端１３側の端部に設けられることが好ましい。詰め替え対象容器２の内周に安定して固定され易くなるからである。
【００１７】
図５に示す本発明の第四の実施態様は、容器口部１０の壁部１１外周１２に延在する雄ねじ４０に少なくとも２箇所の雄ねじ間欠部４１が設けられ、該２箇所の雄ねじ間欠部４１により離隔されて形成された雄ねじ独立部４２が突起部２０を構成することを特徴とする。
図５においては、雄ねじ４０の容器口部１０上端１３側の端部に雄ねじ独立部４２ａ形成されているが、この雄ねじ独立部４２ａが形成されず、雄ねじ独立部４２ｂや雄ねじ独立部４２ｃのように、両側に存在する雄ねじ間欠部４１に挟まれて形成された雄ねじ独立部４２のみが存在する場合も本発明の第四の実施態様に包含される。雄ねじ４０の経路を利用して、壁部１１の上端１３から突起部２０の上端までの長さｊが異なる複数個の雄ねじ独立部４２を形成すると、詰め替え対象容器２の形状に合わせて最適の雄ねじ独立部４２を突起部２０として用いることができるので好ましい。
【００１８】
通常、詰め替え対象容器２と詰め替え容器１とは同じ形状であることが多いが、異なる容器口部の形状であっても雄ねじ独立部４２を詰め替え対象容器２の開口部に確実に挿入し安定に固定できるように、雄ねじ間欠部４１が壁部１１外周の垂直線上に縦断して雄ねじ４０に設けられ、雄ねじ独立部４２が壁部１１外周の垂直方向に並列して形成されても良い。
【００１９】
本発明に係る雄ねじ４０のねじピッチｒは、雄ねじ独立部４２を詰め替え対象容器２の開口部に挿入し易くする観点から、容器口部１０の厚みｄとの関係で、 ０．８ｄ ≦ ｒ であることが好ましく、詰替え時の安定な姿勢維持の観点から０．８ｄ＋ｎ ≦ ｒ がより好ましく、０．８ｄ＋ｎ ≦ ｒ ≦ ３ｄ＋ｎ の範囲がさらに好ましく、０．８ｄ＋ｎ ≦ ｒ ≦ ２ｄ＋ｎ の範囲が特に好ましい。
【００２０】
図６は、本発明の詰め替え容器の第五の実施態様及び突起部の第二の態様を示す容器の上面図及び側面図である。
本発明の第五の実施態様においては、突起部２０が複数設けられ、且つ複数の突起部２０が本発明の詰め替え容器１の蓋（図示せず）とアンダーカット嵌合する嵌合部（突起）を構成することを特徴とする。図６においては、４つの突起部２０ａ、２０ｂ、２０ｃ及び２０ｄがアンダーカット嵌合の嵌合部を構成するが、これに限られず、２つの突起部２０が、３つの突起部２０が、又は５以上の突起部２０（例えば５〜１０の突起部２０）が、アンダーカット嵌合の嵌合部を構成しても良い。
突起部２０が２つの場合や突起部２０が４つの場合等の突起部２０が偶数個の場合においては、２つの突起部２０が互いに対向していることが好ましい。嵌合がより確実に安定して行われるからである。
また、アンダーカット嵌合の嵌合部を構成する突起部２０は、図６に示すように側面の頂部が丸みを帯びていることが、蓋とのアンダーカット嵌合を滑らかにする観点から好ましい。
図６は、さらに突起部２０の両端部に、平面状テーパーを設けた突起部の第二の態様を示す。このテーパーは平面状に限られず、曲面状であっても良い。
【００２１】
図７は、本発明の詰め替え容器の第六の実施態様及び突起部の第二の態様を示す容器の上面図及び側面図である。
本発明の第六の実施態様においては、容器口部１０の壁部１１外周１２に本発明の詰替え容器１の蓋（図示せず）とアンダーカット嵌合する突条部２１が周状に設けられ、突条部２１には少なくとも２箇所の間欠部２２が設けられ、２箇所の間欠部２２ａ及び２２ｂにより離隔されて形成された突起部２０とが形成され、突起部２０と突条部２１とがアンダーカット嵌合の嵌合部を構成することを特徴とする。図７においては、間欠部２２を２箇所設けて１つの突起部２０を構成するが、これに限られず、３つの間欠部２２により突起部２０を２箇所形成しても良いし、更に間欠部２２を増やし突起部２０を増やしても良い。図７においても、突起部２０の両端部に、平面状テーパーを設けられている。
なお、突条部２１の頂部は同心円状でも良いが、図７に示すように、容器の製造時にバリが出る事を防止するために、突条部２１の一部に同心円状から若干凹んだ平面部を有していても良い。
間欠部２２の長さｐ、容器口部１０の厚みｄ及び容器口部１０の内径Ｌの関係は図４において説明した通りである。
【００２２】
図６及び図７におけるアンダーカット嵌合とは、容器口部１０の外周１０に設けられる複数の突起部２０、又は突起部２０及び突条部２１からなる嵌合部と、蓋の内周に設けられる環状の突条部又は環状の溝部とで嵌合し固定される容器の開閉機構をいう。
【００２３】
図８は、本発明の詰め替え容器の突起部の第三の態様を示す容器の上面図及び側面図である。図８においては、突起部２０の両端部に、図６及び図７とは異なる形状の平面状テーパーを設けられている。このテーパーにおいても曲面状であっても良い。
【産業上の利用可能性】
【００２４】
本発明の詰め替え容器は、香水、スキンケア液、洗顔液、ローション等の化粧品やトリートメント、ヘアカラー、ヘアマニキュア等のヘアケア商品等の内容液を収容する詰め替え容器として好適に用いられる。
【図面の簡単な説明】
【００２５】
【図１】本発明の詰め替え容器の第一の実施態様を示す容器の上面図及び側面図である。
【図２】本発明の詰め替え容器の第二の実施態様を示す容器の上面図及び側面図である。
【図３】本発明の詰め替え容器の詰め替えの状態を示す模式図である。
【図４】本発明の詰め替え容器の第三の実施態様を示す容器の上面図及び側面図である。
【図５】本発明の詰め替え容器の第四の実施態様を示す容器の上面図及び側面図である。
【図６】本発明の詰め替え容器の第五の実施態様及び突起部の第二の態様を示す容器の上面図及び側面図である。
【図７】本発明の詰め替え容器の第六の実施態様及び突起部の第二の態様を示す容器の上面図及び側面図である。
【図８】本発明の詰め替え容器の突起部の第三の態様を示す容器の上面図及び側面図である。
【符号の説明】
【００２６】
１        詰め替え容器
２        詰め替え対象容器
１０      容器口部
１１      壁部
１２      外周
１３      上端
１３ａ    内周縁
１３ｂ    外周縁
２０、２０ａ、２０ｂ、２０ｃ、２０ｄ      突起部
２１      突条部
２２、２２ａ、２２ｂ      間欠部
３０、３０ａ、３０ｂ、３０ｃ      切り欠き部
４０      雄ねじ
４１      雄ねじ間欠部
４２、４２ａ、４２ｂ、４２ｃ      雄ねじ独立部
ｘ        切り欠き部を通る垂直線
ｙ        突起部の長さ方向中心を通る垂直線
ｚ        垂直線ｘと垂直線ｙとの距離
Ｌ        容器口部１０の内径
ｄ        容器口部の厚み
ｍ        突起部の長さ
ｈ        突起部の高さ
ｎ        突起部の幅
ｊ        壁部の上端から突起部の上端までの長さ
ｋ        壁部の上端から切り欠き部の下端までの長さ
ｐ        間欠部又は雄ねじ間欠部の長さ
【図１】
2010120651.tif 000003
【図２】
2010120651.tif 000004
【図３】
2010120651.tif 000005
【図４】
2010120651.tif 000006
【図５】
2010120651.tif 000007
【図６】
2010120651.tif 000008
【図７】
2010120651.tif 000009
【図８】
2010120651.tif 000010